(57)【要約】【課題】  ユーザー個別の用途に合った仕様で装置を構成することが可能なデジタルカメラを提供する。【解決手段】  デジタルカメラ２は、制御ユニット１０と、レンズユニット１１、撮像ユニット１２、ストロボユニット１３、およびメモリユニット１４の付属ユニット１５とからなる。制御ユニット１０と各付属ユニット１５とは、共通のＩ／Ｆ１６を介して着脱可能となっている。各付属ユニット１５に内蔵されたＥＥＰＲＯＭ２２〜２５には、各付属ユニット１５に組み込まれた部品の性能を表す識別情報が記憶されている。ＣＰＵ１７は、Ｉ／Ｆ１６を介して制御ユニット１０に装着された付属ユニット１５のＥＥＰＲＯＭ２２〜２５にアクセスし、ＥＥＰＲＯＭ２２〜２５に記憶された識別情報を読み出して、各付属ユニット１５の制御を行う。【選択図】        図１
2005286421.tif 000002
【特許請求の範囲】
【請求項１】
被写体撮影に必要な各種部品が組み込まれた複数の付属ユニットと、これらの付属ユニットが着脱可能で、その動作を統括制御する主制御部が組み込まれた制御ユニットとから構成され、
前記付属ユニットに、組み込まれた部品の性能を表す識別情報を付加するとともに、
前記主制御部は、前記制御ユニットに装着された付属ユニットから前記識別情報を読み出し、この読み出した識別情報を元に前記制御を行うことを特徴とするデジタルカメラ。    
【請求項２】
前記付属ユニットは、前記識別情報を記憶する記憶手段を備えたことを特徴とする請求項１に記載のデジタルカメラ。
【請求項３】
前記付属ユニットは、前記識別情報をビットデータとして記憶し、シリアル伝送を用いて前記制御ユニットに前記ビットデータを送信することを特徴とする請求項１に記載のデジタルカメラ。
【請求項４】
前記付属ユニットは、被写体光を取り込む撮像レンズが組み込まれたレンズユニット、前記撮像レンズにより取り込まれた被写体光を撮像して画像データを出力する撮像手段が組み込まれた撮像ユニット、前記画像データを記憶する記憶手段が組み込まれたメモリユニット、被写体に向けてストロボ光を発するストロボ装置が組み込まれたストロボユニットのうち、少なくともいずれか１つを含むことを特徴とする請求項１ないし３のいずれかに記載のデジタルカメラ。
【発明の詳細な説明】
【技術分野】
【０００１】
本発明は、ユーザー個別の用途に合った仕様で装置を構成することが可能なデジタルカメラに関する。
【背景技術】
【０００２】
デジタルカメラとして、ＣＣＤイメージセンサなどで撮像した被写体画像をデジタルの画像データに変換し、内蔵メモリやメモリカードなどの記憶媒体に保存するデジタルカメラが普及している。デジタルカメラでは、装置の小型化が重要な課題となっており、各メーカーによる技術開発が盛んに行われている。例えば、レンズ部、撮像素子、表示部、およびバッテリー部をメモリカードサイズの筐体に集約したデジタルスチルカメラが提案されている（特許文献１参照）。
【０００３】
【特許文献１】特開２００２−１６８２９号公報
【発明の開示】
【発明が解決しようとする課題】
【０００４】
ところで、現在市販されているデジタルカメラでは、ＣＣＤの記録画素数やストロボ発光量、メモリ容量などの装置仕様が、各メーカーの都合で決定されていた。このため、例えば監視カメラとして使用するので記録画素数のみを多くしたい、アミューズメントパークなどの施設で使用するのでストロボ発光量を大きくしたいなど、ユーザー個別の要望に対応することができなかった。
【０００５】
本発明は、ユーザー個別の用途に合った仕様で装置を構成することが可能なデジタルカメラを提供することを目的とする。
【課題を解決するための手段】
【０００６】
上記目的を達成するために、本発明は、被写体撮影に必要な各種部品が組み込まれた複数の付属ユニットと、これらの付属ユニットが着脱可能で、その動作を統括制御する主制御部が組み込まれた制御ユニットとから構成され、前記付属ユニットに、組み込まれた部品の性能を表す識別情報を付加するとともに、前記主制御部は、前記制御ユニットに装着された付属ユニットから前記識別情報を読み出し、この読み出した識別情報を元に前記制御を行うことを特徴とする。
【０００７】
なお、前記付属ユニットは、前記識別情報を記憶する記憶手段を備える。または、前記付属ユニットは、前記識別情報をビットデータとして記憶し、シリアル伝送を用いて前記制御ユニットに前記ビットデータを送信する。
【０００８】
また、前記付属ユニットは、被写体光を取り込む撮像レンズが組み込まれたレンズユニット、前記撮像レンズにより取り込まれた被写体光を撮像して画像データを出力する撮像手段が組み込まれた撮像ユニット、前記画像データを記憶する記憶手段が組み込まれたメモリユニット、被写体に向けてストロボ光を発するストロボ装置が組み込まれたストロボユニットのうち、少なくともいずれか１つを含む。
【発明の効果】
【０００９】
本発明のデジタルカメラによれば、被写体撮影に必要な各種部品が組み込まれた複数の付属ユニットと、これらの付属ユニットが着脱可能で、その動作を統括制御する主制御部が組み込まれた制御ユニットとから構成され、付属ユニットに、組み込まれた部品の性能を表す識別情報を付加するとともに、主制御部は、制御ユニットに装着された付属ユニットから識別情報を読み出し、この読み出した識別情報を元に制御を行うので、ユーザー個別の用途に合った仕様で装置を構成することができる。
【発明を実施するための最良の形態】
【００１０】
図１において、本発明を適用したデジタルカメラ２は、制御ユニット１０と、レンズユニット１１、撮像ユニット１２、ストロボユニット１３、およびメモリユニット１４の付属ユニット１５とからなる。制御ユニット１０と各付属ユニット１５とは、共通のＩ／Ｆ１６を介して着脱可能となっている。
【００１１】
制御ユニット１０には、ＣＰＵ１７が組み込まれている。ＣＰＵ１７は、各付属ユニット１５に組み込まれた部品の動作を統括的に制御する。また、レンズユニット１１、撮像ユニット１２、ストロボユニット１３、およびメモリユニット１４には、被写体光を取り込む撮像レンズ１８、撮像レンズにより取り込まれた被写体光を撮像して画像データを出力するＣＣＤ１９、被写体に向けてストロボ光を発するストロボ装置２０、および画像データを記憶するメモリ２１がそれぞれ組み込まれている。
【００１２】
各付属ユニット１５には、ＥＥＰＲＯＭ２２〜２５が内蔵されている。このＥＥＰＲＯＭ２２〜２５には、各付属ユニット１５に組み込まれた部品の性能を表す識別情報が記憶されている。レンズユニット１１のＥＥＰＲＯＭ２２には、撮像レンズ１８のズーム段数、絞り段数、フォーカスステップ数などが記憶され、撮像ユニット１２のＥＥＰＲＯＭ２３には、ＣＣＤの記録画素数、画素配列（ベイヤー／Ｇストライプ／ハニカム）、ＩＳＯ感度などが記憶されている。また、ストロボユニット１３のＥＥＰＲＯＭ２４には、ストロボ装置２０のメインコンデンサ容量、メモリユニット１４のＥＥＰＲＯＭ２５には、メモリ２１の容量が記憶されている。
【００１３】
ＣＰＵ１７は、Ｉ／Ｆ１６を介して制御ユニット１０に装着された付属ユニット１５のＥＥＰＲＯＭ２２〜２５にアクセスし、ＥＥＰＲＯＭ２２〜２５に記憶された識別情報を読み出して、各付属ユニット１５の制御を行う。すなわち、レンズユニット１１のＥＥＰＲＯＭ２２から読み出した識別情報を元に、撮像レンズ１８を駆動させるステッピングモータの駆動パルス数や、フォーカスレンズの移動範囲、プログラム線図などを設定する。また、撮像ユニット１２、ストロボユニット１３、およびメモリユニット１４のＥＥＰＲＯＭ２３〜２５から読み出した識別情報を元に、ＣＣＤ１９のメモリマップやゲイン量、先頭画素、ストロボ撮影に移行する際の閾値、および連写モード時の枚数などを設定する。
【００１４】
上記のような構成を有するデジタルカメラ２を、監視カメラとして使用したい場合には、不審者の顔を克明に認識するために、高画質、高感度のＣＣＤ１９が組み込まれた撮像ユニット１２を選択する。また、工事現場の記録カメラとして使用したい場合は、高画質ＣＣＤ１９が組み込まれた撮像ユニット１２、大容量ストロボ装置２０を有するストロボユニット１３、および大容量メモリ２１が内蔵されたメモリユニット１４を選択する。さらに、アミューズメントパークなどの施設で使用したい場合には、大容量ストロボ装置２０を有するストロボユニット１３を選択する。このように、ユーザーは自分の用途に合った付属ユニット１５を選択して、制御ユニット１０に装着するだけで、自分用にカスタマイズされたデジタルカメラ２を簡単に手に入れることができる。
【００１５】
なお、ＥＥＰＲＯＭ２２〜２５を用いずに、識別情報を簡単なビットデータとして記憶し、シリアル伝送を用いて制御ユニット１０にビットデータを送信するようにしてもよい。この場合、例えば撮像ユニット１２には、表１に示すような８ビットデータが記憶され、第０、１ビットにＣＣＤの記録画素数（第０ビット：第１ビット＝１：１のとき記録画素数３メガ、１：０のとき２メガ、０：１のとき１メガ）、第２、３ビットに画素配列（第２ビット：第３ビット＝１：１のときハニカム、１：０のときベイヤー、０：１のときＧストライプ）、第４、５ビットにＩＳＯ感度（第４ビット：第５ビット＝１：１のときＩＳＯ４００、１：０のときＩＳＯ２００、０：１のときＩＳＯ１００）が表される。
【００１６】
ＣＰＵ１７は、付属ユニット１５の装着時に、シリアル伝送により送信されるビットデータを認識し、このビットデータを元に装着された付属ユニット１５の制御を行う。このようにすると、ＥＥＰＲＯＭが不要になる分、装置のコストダウンを促進させることができる。
【００１７】
【表１】
2005286421.tif 000003
【００１８】
なお、付属ユニット１５としては、上記実施形態で挙げた各ユニットの他に、デジタルカメラ２に電力を供給するバッテリーが組み込まれた電源ユニットや、画像を表示する液晶表示器が組み込まれた表示ユニットなど、適宜追加変更することが可能である。
【図面の簡単な説明】
【００１９】
【図１】本発明を適用したデジタルカメラの概略構成を示すブロック図である。
【符号の説明】
【００２０】
２  デジタルカメラ
１０  制御ユニット
１１  レンズユニット
１２  撮像ユニット
１３  ストロボユニット
１４  メモリユニット
１５  付属ユニット
１７  ＣＰＵ
１８  撮像レンズ  
１９  ＣＣＤ  
２０  ストロボ装置
２１  メモリ
２２〜２５  ＥＥＰＲＯＭ
【図１】
2005286421.tif 000004